【手続補正書】
【提出日】平成28年7月25日(2016.7.25)
【手続補正１】
【補正対象書類名】特許請求の範囲
【補正対象項目名】全文
【補正方法】変更
【補正の内容】
【特許請求の範囲】
【請求項１】
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、
該誘導部は、屈曲させた前記一方側の先端と、屈曲させていない前記他方側の先端の両方から前記分割線に向かう切欠であり、
前記通過口の、前記発射位置から発射された遊技媒体の進行方向側の所定部位に、前記金属板材が配置され、
さらに、前記金属板材における前記直角方向に屈曲していない非屈曲部の面積は、前記直角方向に屈曲している部位の面積よりも大きい
ことを特徴とする遊技機。
【請求項２】
前記通過口は、遊技媒体が通過可能な第１開口と、遊技媒体が通過不能であり線材が進入可能な第２開口と、が連続して形成されたものである、
ことを特徴とする請求項１に記載の遊技機。
【手続補正２】
【補正対象書類名】明細書
【補正対象項目名】０００２
【補正方法】削除
【補正の内容】
【手続補正３】
【補正対象書類名】明細書
【補正対象項目名】０００３
【補正方法】変更
【補正の内容】
【０００３】
パチンコ機等の遊技機では、本体枠と扉枠との隙間からピアノ線等の細長い不正工具を遊技領域内に侵入させて、受入口への遊技媒体の受入れを検知するセンサを誤作動させたり、遊技領域内に植設された障害釘を曲げたりする不正行為が行われる問題があった。この問題に対して、扉枠を開閉可能に支持する一対のヒンジ機構の間に、弾性変形可能な板状のガイド部を備え、扉枠と本体枠の間にバール等を挿入して隙間を広げようとしても、弾性変形するガイド部によって隙間を覆って不正工具を挿入することができないようにしたものが提案されている（例えば、特許文献１）。
【手続補正４】
【補正対象書類名】明細書
【補正対象項目名】０００４
【補正方法】変更
【補正の内容】
【０００４】
【特許文献１】特開２００８−７３３４０号公報
【手続補正５】
【補正対象書類名】明細書
【補正対象項目名】０００５
【補正方法】変更
【補正の内容】
【０００５】
しかしながら、従来の遊技機では、線材を取り付けた遊技媒体を、通常の遊技媒体と同様に貯留部から遊技領域内へ発射して行うような不正行為については考慮されていなかった。
【手続補正６】
【補正対象書類名】明細書
【補正対象項目名】０００６
【補正方法】変更
【補正の内容】
【０００６】
そこで、本発明は上記の実情に鑑み、遊技媒体に線材を付着して行われる不正行為を抑止することが可能な遊技機の提供を課題とするものである。
【手続補正７】
【補正対象書類名】明細書
【補正対象項目名】０００７
【補正方法】変更
【補正の内容】
【０００７】
本発明は、
複数の遊技媒体を貯留可能な貯留手段と、
前記貯留手段に貯留された遊技媒体を通過口を介して発射位置に送り出す球送り手段と、
前記球送り手段により前記発射位置に送り出された遊技媒体を遊技領域に向けて一つずつ発射可能な発射手段と、
を具備する遊技機であって、
前記球送り手段は、
金属板材の先端から基端側へ向かって伸びる分割線を挟んで一方側の先端と他方側の先端とが相対的に遠ざかるように前記金属板材の板面に対して前記一方側の先端のみを直角方向へ屈曲させ、基端側へ向かうに従って隙間が狭くなるように形成された不正防止部材を具備し、
前記金属板材は、遊技媒体に設けられる線材を前記隙間に誘導可能な誘導部を有し、
該誘導部は、屈曲させた前記一方側の先端と、屈曲させていない前記他方側の先端の両方から前記分割線に向かう切欠であり、
前記通過口の、前記発射位置から発射された遊技媒体の進行方向側の所定部位に、前記金属板材が配置され、
さらに、前記金属板材における前記直角方向に屈曲していない非屈曲部の面積は、前記直角方向に屈曲している部位の面積よりも大きい
ことを特徴とする。
また、前記通過口は、遊技媒体が通過可能な第１開口と、遊技媒体が通過不能であり線材が進入可能な第２開口と、が連続して形成されたものである、
ことを特徴とする。
また、本発明とは別に開示する別発明では、大当たり遊技の実行態様として複数の実行態様が用意されるとともに、それら実行態様のいずれかにて大当たり遊技が行われる遊技機であって、遊技領域に打ち込まれた遊技球を受け入れ可能な始動口と、前記始動口への遊技球の受け入れに基づいて、大当たりについての当落判定を行う当落判定手段と、前記当落判定の結果として大当たりが当選されたことに基づいて、前記複数の実行態様のいずれかが決定されるまでに至る処理構造がそれぞれ異なっている複数の大当たり形態を付与可能な状態とする当選状態制御手段と、前記複数の大当たり形態が付与可能な状態において、それら大当たり形態のいずれかを選択するとともに、該選択された大当たり形態のもとでの処理構造によって前記複数の実行態様のいずれかを決定する特定形態進行制御手段と、前記特定形態進行制御手段により決定された実行態様にて大当たり遊技を実行する大当たり遊技実行手段とを備え、前記遊技領域に打ち込まれた遊技球が第１受入口及び第２受入口のいずれかに受け入れられるように設けられる受入口手段をさらに用意するようにした上で、前記特定形態進行制御手段は、前記第１受入口に遊技球が受け入れられたとき、前記複数の実行態様のいずれかが決定されるまでに至る処理構造として、遊技者により獲得可能とされる遊技球の数量が最も少ない最少の実行態様が決定候補から除かれている安定処理構造が持たせられている第１の大当たり形態を選択する安定形態選択手段、前記安定形態選択手段により第１の大当たり形態が選択されたとき、前記最少の実行態様が決定候補から除かれている安定処理構造に基づいて、少なくとも第１の所定数量の遊技球が遊技者によって獲得可能とされるように前記複数の実行態様のいずれかを決定する安定決定手段、前記第２受入口に遊技球が受け入れられたとき、前記複数の実行態様のいずれかが決定されるまでに至る処理構造として、遊技者により獲得可能とされる遊技球の数量が最も少ない最少の実行態様が決定候補に含まれている最少含み処理構造が持たせられている第２の大当たり形態を選択する最少含み形態選択手段、及び前記最少含み形態選択手段により第２の大当たり形態が選択されたとき、前記最少の実行態様が決定候補に含まれている最少含み処理構造に基づいて、前記第１の所定数量の遊技球すら遊技者によって獲得可能とされない可能性があるように前記複数の実行態様のいずれかを決定する最少含み決定手段を有しており、前記受入口手段は、前記最少含み形態選択手段により最少含み処理構造が持たせられている第２の大当たり形態が選択される確率が所定の低確率未満となるように前記第２受入口への遊技球の受け入れを基本的には許容せず、且つこの許容しない遊技球を、前記安定処理構造が持たせられている第１の大当たり形態が選択される前記第１受入口へと誘導するように設けられる可動体を有しており、前記可動体は、前記受入口手段に向けて遊技球が打ち出されるタイミングによっては、前記最少含み形態選択手段により最少含み処理構造が持たせられている第２の大当たり形態が選択される確率が所定の低確率を超えてしまうように周期性のある動作を行う周期可動体として設けられてなることを要旨とする。
【手続補正８】
【補正対象書類名】明細書
【補正対象項目名】００１０
【補正方法】変更
【補正の内容】
【００１０】
この発明によれば、遊技媒体に線材を付着して行われる不正行為を抑止することが可能な遊技機を提供することができる。